(57)【要約】      （修正有）【課題】安価に製造可能な厚紙を利用しながらも、繰り返し蓋を開閉しても毛羽立ちや破断がしにくく、美観にも優れる紙製バッグを提供する。【解決手段】蓋フラップ部７Ａ、７Ｂは、厚紙二層からなり、複数の折り線１０に沿って内折りされる折代部８Ａ、８Ｂを有し、ループ状面ファスナ９Ａが、正面部３のおもて面において、正面部３の下辺から上辺に向けて、折代部８Ａ、８Ｂの折り曲げ方向の長さに相当する位置より上方の領域に最下端が配されるよう設けられ、フック状面ファスナ９Ｂが、蓋フラップ部７Ａ、７Ｂの裏面において、ループ状面ファスナ９Ａに係合するよう設けられる。【選択図】図１
0003197852.tif 000002
【実用新案登録請求の範囲】
【請求項１】
矩形状の正面部と、該正面部と同形同大の背面部と、前記正面部の下辺に平行に内折りされ、前記正面部と前記背面部とに下辺において連接する底面部と、前記正面部の側辺に平行に各々内折りされ、前記正面部と前記背面部とに側辺において連接する左右一対の側面部と、前記背面部の上辺から延出し、前記正面部に上蓋として重ねられる蓋フラップ部とを備える厚紙からなる紙製バッグであって、
前記蓋フラップ部は、前記正面部と同形同大の二枚の厚紙がフェルト面を外側にして整合するよう貼付された厚紙二層からなり、該厚紙の各々のフェルト面側から刻印され、前記背面部の上辺に平行に、おもて面と裏面とで位置が合うよう設けられた複数の折り線に沿って内折りされる折代部を有し、
ループ状面ファスナが、前記正面部のおもて面において、前記正面部の下辺から上辺に向けて、前記折代部の折り曲げ方向の長さに相当する位置より上方の領域に最下端が配されるよう設けられ、フック状面ファスナが、前記蓋フラップ部の裏面において、前記ループ状面ファスナに係合するよう設けられた一対の面ファスナを備える紙製バッグ。
【請求項２】
請求項１に記載の紙製バッグであって、
前記面ファスナは、前記ループ状面ファスナが、前記正面部のおもて面において、前記正面部の下辺から上辺に向けて、前記折代部の折り曲げ方向の長さの２倍に相当する位置より上方の領域に最下端が配されるよう設けられる紙製バッグ。
【考案の詳細な説明】
【技術分野】
【０００１】
この考案は、安価に製造可能な厚紙を利用しながらも、繰り返し蓋を開閉しても毛羽立ちや破断がしにくく、美観にも優れる紙製バッグに関する。
【背景技術】
【０００２】
この種の紙製バッグとして、従来、図７に示す技術が知られている（例えば、特許文献１を参照。）。特許文献１に開示された紙製バッグ１００は、折曲線を介して下方より順に内壁１０１、連結壁１０２、外壁１０３、折返壁１０４（蓋に相当する。）、及び重合壁１０５を順に連設しかつ内壁１０１、連結壁１０２及び外壁１０３の両側端に側壁片１０６，１０８，１０７を連設してなる厚紙製かばん台紙を順に折り曲げてかばん状に起立すると共に別に用意した内壁１０１又は外壁１０３の巾とほぼ等しい巾を有しかつ中央部に折曲線１１０を有する貼付テープ１０９を前記内外壁のそれぞれの側面に設けられた側壁片１０６，１０７に重合貼付されている。
【０００３】
この紙製バッグ１００によれば、一枚の厚紙を順に折り曲げることによって形成するので、大量生産でき、且つ、紙製バッグ１００の側面部に折り曲げ自在な貼付テープ１０９を貼付しているので、鋲が突出して収納部等を損傷することがない。
【先行技術文献】
【特許文献】
【０００４】
【特許文献１】実開昭５２−４２１０６号公報
【考案の概要】
【考案が解決しようとする課題】
【０００５】
しかしながら、従来の紙製バッグ１００は、折返壁１０４の元部が一枚の厚紙からなるので、繰り返し折返壁１０４を開閉すると元部が破断する虞があった。
【０００６】
また、従来の紙製バッグ１００は、折返壁１０４を含めて一枚の厚紙からなるので、両面が目に触れる折返壁１０４の少なくとも一方の面がワイヤ面となり、特に、折曲線１１０の部分の繊維が毛羽立ち易く、美観を損なうことがあった。
【０００７】
また、従来の紙製バッグ１００は、内壁１０１に取り付けられた留め具が、収納物の厚みや大きさによって折返壁１０４の先端部からはみ出して美観を損なうことがあり、さらにまた、セータやウール地の衣類等の繊維に引っ掛かり衣類を傷める虞があった。
【０００８】
本考案は、このような事情に鑑みてなされたものであり、その主な目的は、安価に製造可能な厚紙を利用しながらも、繰り返し蓋を開閉しても毛羽立ちや破断がしにくく、美観にも優れる紙製バッグを提供することにある。
【課題を解決するための手段及び考案の効果】
【０００９】
本考案の第１の側面に係る紙製バッグによれば、矩形状の正面部と、該正面部と同形同大の背面部と、前記正面部の下辺に平行に内折りされ、前記正面部と前記背面部とに下辺において連接する底面部と、前記正面部の側辺に平行に各々内折りされ、前記正面部と前記背面部とに側辺において連接する左右一対の側面部と、前記背面部の上辺から延出し、前記正面部に上蓋として重ねられる蓋フラップ部とを備える厚紙からなる紙製バッグであって、前記蓋フラップ部は、前記正面部と同形同大の二枚の厚紙がフェルト面を外側にして整合するよう貼付された厚紙二層からなり、該厚紙の各々のフェルト面側から刻印され、前記背面部の上辺に平行に、おもて面と裏面とで位置が合うよう設けられた複数の折り線に沿って内折りされる折代部を有し、ループ状面ファスナが、前記正面部のおもて面において、前記正面部の下辺から上辺に向けて、前記折代部の折り曲げ方向の長さに相当する位置より上方の領域に最下端が配されるよう設けられ、フック状面ファスナが、前記蓋フラップ部の裏面において、前記ループ状面ファスナに係合するよう設けられた一対の面ファスナを備えることができる。前記構成により、蓋フラップ部が、正面部と同形同大の二枚の厚紙がフェルト面を外側にして整合するよう貼付された厚紙二層からなるので、蓋フラップ部を閉じた際に表れるおもて面も、開いた状態で表れる裏面も、フェルト面が外側に向くことになり、毛羽立ちにくく美観に優れる。
【００１０】
また、前記構成により、折代部は、厚紙二層からなるので、繰り返し蓋フラップ部の開閉を行っても折代部が破断することがなく、複数の折り線が刻印されているので、折り曲げが容易となり、蓋フラップ部の開閉をスムーズに行うことができる。
【００１１】
また、前記構成により、折代部において、厚紙の繊維の絡みが緻密なフェルト面をおもて面と裏面とに露出させているので、繊維の絡みが粗くほぐれやすいワイヤ面をおもて面と裏面とに露出させた場合に比べて、刻印された部分の繊維がほぐれて生ずる毛羽立ちが起きにくい。
【００１２】
また、前記構成により、紙製バッグの厚みが最大になる時、正面部のおもて面において、蓋フラップ部の最下端は、折代部の折り曲げ方向の長さ分、下辺から上方に位置することになるが、ループ状面ファスナは、その位置よりも上方の領域に最下端が配されているので、蓋フラップ部の下に隠れて露出しない。また、収容物がない場合や、収容物が薄く紙製バッグに完全に収まる場合には、蓋フラップ部の最下端は更に下方に位置するため、ループ状面ファスナが蓋フラップ部の下に隠れて露出しない。したがって、前記何れの場合も、ループ状面ファスナが露出して美観を損なうことがない。
【００１３】
さらに、前記構成により、正面部のおもて面にループ状の面ファスナを設けているので、蓋フラップ部を開いた時に、セータやウール地の衣類等の繊維に引っ掛かり衣類を傷めることがない。
【００１４】
また、本考案の第２の側面に係る紙製バッグによれば、前記面ファスナは、前記ループ状面ファスナが、前記正面部のおもて面において、前記正面部の下辺から上辺に向けて、前記折代部の折り曲げ方向の長さの２倍に相当する位置より上方の領域に最下端が配されるよう構成できる。前記構成により、紙製バッグの正面部の上辺から前記折代部の曲げ方向の長さの２倍ほど突出する大きさの物品でも収容することができる。その場合においても、閉じた蓋フラップ部の下に隠れて露出しないので美観を損なわない。
【図面の簡単な説明】
【００１５】
【図１】本考案に係る紙製バッグの構成を説明するための、図１Ａは蓋フラップ部を閉じた状態の斜視図、図１Ｂは蓋フラップ部を開いた状態の斜視図である。
【図２】本考案に係る紙製バッグの構成を説明するための、図２Ａは背面図、図２Ｂは右側面図、図２Ｃは平面図、図２Ｄは正面図、図２Ｅは底面図である。
【図３】本考案に係る紙製バッグの蓋フラップ部の構成を説明するための、図２ＡにおけるＢ−Ｂ'断面図である。
【図４】本考案に係る紙製バッグの折代部の構成を説明するための、図３における折代部の拡大図である。
【図５】本考案に係る紙製バッグの面ファスナの構成を説明するための、図１ＡにおけるＡ−Ａ'断面図であって、図５Ａは紙製バッグが最も厚くなった状態を示す図、図５Ｂは紙製バッグが高さ方向に最も小さくなった状態の図、図５Ｃは紙製バッグが高さ方向に最も大きくなった状態を示す図である。
【図６】本考案に係る紙製バッグの展開図が反映された厚紙を示す図であって、図６Ａは正面図、図６Ｂは右側面図である。
【図７】紙製バッグの従来例を説明するための、図７Ａは従来の紙製バッグの展開図が反映された厚紙を示す図であり、図７Ｂは従来の紙製バッグの側壁片に貼り付けられる貼付テープの図である。
【考案を実施するための形態】
【００１６】
以下、本考案の実施の形態に係る紙製バッグ１を図面に基づいて説明する。ただし、以下に示す実施の形態は、本考案の技術思想を具体化するための例示であって、本考案は以下のものに特定されない。また、本明細書は実用新案登録請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。
（紙製バッグの構成）
【００１７】
図１は、紙製バッグ１の斜視図であって、図１Ａは、蓋フラップ７を閉じた際の斜視図であり、図１Ｂは、蓋フラップ７を開いた際の斜視図である。図２は、紙製バッグ１の六面図（ただし、左側面図は右側面図と同じため省略している。）であって、図２Ａは背面図、図２Ｂは右側面図、図２Ｃは平面図、図２Ｄは正面図、図２Ｅは底面図である。
【００１８】
紙製バッグ１は、厚紙２からなり、図１及び図２に示すように、矩形状の正面部３と、正面部３と同形同大の背面部４と、正面部３の下辺に平行に内折りされ、正面部３と背面部４とに下辺において連接する底面部５と、正面部３の側辺に平行に各々内折りされ、正面部３と背面部４とに側辺において連接する左右一対の側面部６Ａ，６Ｂと、背面部４の上辺から延出し、正面部３に蓋として重ねられる蓋フラップ部７Ａ，７Ｂと、蓋フラップ部７Ａ，７Ｂに設けられた複数の折り線１０に沿って内折りされる折代部８Ａ，８Ｂとで構成されている。
【００１９】
また、紙製バッグ１は、図１及び図２に示すように、蓋フラップ部７の裏面７Ｂと正面部３との各々に、蓋フラップ部７を開閉可能に仮着する面ファスナ９Ａ，９Ｂを備えている。
（紙製バッグの素材）
【００２０】
紙製バッグ１の素材は、厚紙２からなり、厚紙２には、折り線１０の部位から破断しにくく毛羽立ちが生じにくい針葉樹パルプ等の繊維が使用される。厚紙２の素材の組成としては、例えば、針葉樹パルプの配合率を重量比で５０％以上とするのが好ましい。例えばプラスチックが素材であれば、薄肉化して折り線を形成するための加熱工程が必要となるところ、厚紙２の素材は、針葉樹パルプ等の繊維が使用されているので、加熱工程を不要とできる。また、厚紙２の素材は、厚くした場合、革の素材と比べて剛性があるので、これによって形成した紙製バッグ１は、収納物Ｃの保護機能に優れる。
（蓋フラップ部）
【００２１】
蓋フラップ部７は、図３に示すように、正面部３と同形同大の２枚の厚紙２がフェルト面を外側にして整合するよう貼付されており、閉じた際に表れるおもて面７Ａも開いた際に表れる裏面７Ｂも共にフェルト面が外側に向き、図３に示すように、ワイヤ面が外側に表れないように組み立てられている。これにより、蓋フラップ部７は、繊維がほぐれにくく毛羽立ちが生じにくい。
（折代部）
【００２２】
折代部８は、図４に示すように、厚紙２のフェルト面側から折り線１０が刻印され、背面部４の上辺に平行に、おもて面７Ａと裏面７Ｂとで位置が合うよう設けられた複数の折り線１０に沿って内折りされてなる。この折代部８に設けられた複数の折り線１０が折り目として機能するので、蓋フラップ部７の開閉操作が容易となる。また、図３及び図４に示すように、折代部８は、厚紙２を積層した二層からなるので、蓋フラップ部７の開閉を繰り返し行っても折り線１０から破断しにくい。
（面ファスナ）
【００２３】
面ファスナ９Ａは、図５に示すように、正面部３において、正面部３の下辺から上辺に向けて、折代部８の折り曲げ方向の長さＷに相当する位置より若干上方の領域に最下端が位置するよう配されている。これは、以下のような理由による。
【００２４】
図５Ａは、紙製バッグ１が、収納物Ｃの厚みによって、最も厚くなった状態を示している。この時、蓋フラップ部７を閉じた際の蓋フラップ部７の最下端は、正面部３の下辺よりＷに相当する長さ分上辺側に位置する。図５Ｂは、紙製バッグ１に収納物Ｃが入っておらず、紙製バッグ１が、高さ方向に最も小さくなるよう蓋フラップ部７を閉じた状態を示している。この時、蓋フラップ部７を閉じた際の蓋フラップ部７の最下端は、正面部３の下辺と重なる位置にある。図５Ｃは、紙製バッグ１が、収納物Ｃによって、高さ方向に最も大きくなるよう蓋フラップ部７を閉じた状態を示している。この時、蓋フラップ部７の最下端は、正面部の下辺より２Ｗに相当する長さ分上辺側に位置する。
【００２５】
したがって、図５Ａ，図５Ｂ，図５Ｃの何れの場合も、面ファスナ９Ａの最下端を正面部３の下辺より２Ｗの距離より上辺側に配するようにすれば、面ファスナ９Ａが蓋フラップ部７より露出することがなく、美観を損なうことがない。
【００２６】
一方、正面部３において、面ファスナ９Ａを上辺側に配すると、蓋フラップ部７の先端が自由端となり、閉まりが悪くなるため、上辺側に配し過ぎるのはあまり好ましくない。したがって、面ファスナ９Ａは、図５に示すように、正面部３において、正面部３の下辺から上辺に向けて、折代部８の折り曲げ方向の長さＷに相当する位置より若干上方の領域に最下端が位置するよう配するのが好ましい。
【００２７】
また、面ファスナ９Ａには、ループ状面ファスナを採用している。これにより、蓋フラップ７を開いた際に、露出した面ファスナ９Ａが、セータやウール地の衣類等の繊維に係合して衣類を傷めることがない。
【００２８】
面ファスナ９Ｂは、ループ状面ファスナ９Ａと略同形同大の係合可能なフック状ファスナを採用している。面ファスナ９Ｂは、蓋フラップ部７の裏面７Ｂ上において、蓋フラップ部７を閉じた際に、面ファスナ９Ａと係合可能な位置に貼付されている。
（紙製バッグの組立方法）
【００２９】
図６は、ワイヤ面側から見た紙製バッグ１の展開図である。図中、実線は厚紙２の裁断線を示し、点線は折り線１０を示している。厚紙２の裁断、及び、折り線１０の筋付けは、例えばトムソン加工によってなされる。
【００３０】
先ず、トムソン加工によって裁断された厚紙２において、正面補強部１１を内折りして正面部３の内側に接着剤で貼付する。次に、側面補強部１４Ａを内折りして側面部６Ａの内側に接着剤で貼付する。同様に、側面補強部１４Ｂを内折りして側面部６Ｂの内側に接着剤で貼付する。
【００３１】
続いて、糊代１５Ａを内折りして蓋フラップ部７Ａのワイヤ面に接着剤で貼付する。同様に、糊代１５Ｂを内折りして蓋フラップ部７Ｂのワイヤ面に接着剤で貼付する。そして、蓋フラップ部７Ｂを蓋フラップ部７Ａに重ね、糊代１５Ａ及び８糊代１５Ｂを介して、接着剤で貼付すると共に、折代部８Ａのワイヤ面と折代部８Ｂのワイヤ面とを各々の折り線１０が整合するように重ねて接着剤で貼付する。このように形成された厚紙２の二層からなる蓋フラップ部７を、糊代１６を介して、背面部４の内側に接着剤で貼付して固定する。
【００３２】
次に、底面部５を内折りすると共に背面部４に連接する左右一対の側面部６Ａ，６Ｂを内折りして、底面部５に連接する左右一対の糊代１２Ａ，１２Ｂを側面部６Ａ，６Ｂの内側に各々の中央の折り線１０が整合するよう接着剤で貼付する。
【００３３】
次いで、正面部３を内折りして、側面部６Ａ，６Ｂにそれぞれ連接する糊代１３Ａ，１３Ｂを正面部３の内側に接着剤で貼付し、正面部３、側面部６Ａ，６Ｂ、及び背面部４からなる、収納物Ｃを収納する部位を形成する。
【００３４】
最後に、面ファスナ９Ａを正面部３の外側の所定位置に接着剤で貼付し、面ファスナ９Ｂを蓋フラップ部７Ｂの所定位置に接着剤で貼付する。
【００３５】
以上のとおり、本考案によれば、安価に製造可能な厚紙を利用しながらも、繰り返し蓋を開閉しても毛羽立ちや破断がしにくく、美観にも優れる紙製バッグを提供することができる。
【００３６】
なお、本考案は前述した実施の形態のみに限定されるものではなく、本考案の要旨を逸脱しない範囲において種々の変更が可能であることは勿論である。
【産業上の利用可能性】
【００３７】
本考案に係る紙製バッグは、例えば、大量生産による安価なバッグから紙特有の質感や手触り等に着目した高級志向のバッグというように、紙質によって幅広く差別化することが可能であり、ノベルティや販促グッズ、バッグ等の包装用容器の製造業を含む技術分野で利用可能となるものである。
【符号の説明】
【００３８】
１…紙製バッグ、２…厚紙、３…正面部、４…背面部、５…底面部、６，６Ａ，６Ｂ…側面部、７，７Ａ，７Ｂ…蓋フラップ部、８，８Ａ，８Ｂ…折代部、９，９Ａ，９Ｂ…面ファスナ、１０…折り線、１１…正面補強部、１２，１２Ａ，１２Ｂ，１３，１３Ａ，１３Ｂ,１５，１５Ａ，１５Ｂ…糊代、１４，１４Ａ，１４Ｂ…側面補強部、Ｗ…折代部の長さ、Ｃ…収納物、１００…紙製バッグ、１０１…内壁、１０２…連結壁、１０３…外壁、１０４…折返壁、１０５…重合壁、１０６，１０７，１０８…側壁片、１０９…貼付テープ、１１０…折曲線
【図１】
0003197852.tif 000003
【図２】
0003197852.tif 000004
【図３】
0003197852.tif 000005
【図４】
0003197852.tif 000006
【図５】
0003197852.tif 000007
【図６】
0003197852.tif 000008
【図７】
0003197852.tif 000009